(57)【要約】【課題】本発明は、動作テストを行う際に、中央処理装置だけでなく、端末器でも正常にデータを送信または受信しているかを確認できる監視システムを提供する。【解決手段】端末器２と中央処理装置にそれぞれ定常状態または非定常状態に関するデータの送信または受信を行うデータ通信手段３と、端末機２で動作テストの状態が確認できる表示手段１１を備えることにより、端末器から動作テストに関するデータを中央処理装置に送信し、中央処理装置は動作テストに関するデータを受信して、データの受信に関する受信情報を端末器２に送信し、端末器は受信した受信情報を報知することで、端末器で動作チェックの確認ができるようにする。【選択図】　図３
2004021588.tif 000002
【特許請求の範囲】
【請求項１】
定常または非定常の状態を監視する複数の端末器と１台の中央処理装置を有し、前記端末器と前記中央処理装置にはそれぞれ前記定常状態または非定常状態に関するデータの送信および受信を行うデータ通信手段を有し、前記端末器と中央処理装置との動作テストを行う際、前記端末器は動作テストに関するデータを前記中央処理装置へ送信し、前記中央処理装置は前記データを受信して前記データの受信に関する受信情報を前記端末器に送信し、前記端末器は受信した前記受信情報を報知する監視システム。
【請求項２】
端末器の電源投入後、所定時間内は動作テストが可能な請求項１記載の監視システム。
【請求項３】
端末器は、非定常状態に警報を発生する警報発生手段を有し、動作テスト時は警報発生を不許可とする請求項１〜２いずれか１項記載の監視システム。
【請求項４】
端末器は、受信情報を報知する表示手段と音声出力手段との少なくとも１つを有する請求項１〜３のいずれか１項記載の監視システム。
【請求項５】
端末器は、動作テストに関するデータを中央処理装置へ送信後、所定時間内に受信情報を受信できない場合は、再度動作テストに関するデータを中央処理装置へ送信する請求項１〜４のいずれか１項記載の監視システム。
【請求項６】
端末器は、動作テストに関するデータを中央処理装置へ送信後、所定時間内に受信情報を受信できない場合は、システムが異常状態であるとの報知を行う請求項１〜５のいずれか１項記載の監視システム。
【請求項７】
端末器と中央処理装置は、音声を入力する音声入力手段と、前記音声入力手段からの音声信号の送信または受信を行う音声通信手段と、前記音声通信手段からの音声を出力する音声出力手段を有し、前記端末器と前記中央処理装置で通話が可能な請求項１〜６のいずれか１項記載の監視システム。
【請求項８】
請求項１〜７のいずれか記載の監視システムにて少なくとも一つの手段をコンピュータに実行させるためのプログラム。
【発明の詳細な説明】
【０００１】
【発明の属する技術分野】
本発明は動作テスト時において、端末器が動作テストに関するデータを中央処理装置に送信し、中央処理装置は受信に関する受信情報を端末器に送信し、端末器で視覚的あるいは聴覚的に外部に報知する機能を備えた監視システムに関するものである。
【０００２】
【従来の技術】
従来の監視システムは、端末器を窓や部屋等に取り付け、窓が閉から開になった場合や、人を感知した時などに端末器から中央処理装置に正常にデータが送信されているかを確かめる動作テストを行う際に、正常に通信が行えているかどうかの確認を端末器からの動作テストに関するデータに基づいて中央処理装置の報知機能により確認している。
【０００３】
【発明が解決しようとする課題】
しかしながら前記従来の構成では、動作テスト時に端末器を窓や部屋等に取り付けて端末器が実際に作動して、信号を中央処理装置に送信しているかどうかを確認するのは中央処理装置でしかできず、監視システムを設置する前に動作テストを行ったり、設置後に中央処理装置と端末器双方に人が必要であったりした。
【０００４】
本発明は、上記従来の課題を解決するためのもので、中央処理装置だけでなく、端末器でも正常にデータを送信しているかを確認できる監視システムを提供することを目的とする。
【０００５】
【課題を解決するための手段】
上記従来の課題を解決するために、本発明の監視システムは、動作テストを行う際に端末器から動作テストに関するデータを中央処理装置に送信し、中央処理装置は動作テストに関するデータを受信して、データの受信に関する受信情報を端末器に送信するデータ通信手段を有し、端末器に表示手段、あるいは音声出力手段を備えることにより、端末器から中央処理装置にデータが正常に送信されているかを端末器で確認することが可能となる。
【０００６】
【発明の実施の形態】
請求項１に記載した発明は、端末器と中央処理装置にそれぞれ定常状態または非定常状態に関するデータの送信または受信を行うデータ通信手段と、動作テストを行う際に、端末機で動作テストの状態が確認できる報知機能を備えることにより、端末器から動作テストに関するデータを中央処理装置に送信し、中央処理装置は動作テストに関するデータを受信して、データの受信に関する受信情報を端末器に送信し、端末器は受信した受信情報を報知することで、端末器で動作チェックの確認が可能となる。
【０００７】
請求項２に記載した発明は、端末器の電源投入後に所定時間内は動作テストが可能な機能を備えているため、動作テストを開始するための設定を行う必要がなくなる。
【０００８】
請求項３に記載した発明は、端末器には非定常状態に警報を発生する警報発生手段を有しているが、動作テスト時に警報発生を不許可とすることで、動作チェックの際に警報器から大音響が鳴らないため、使用者に不快感を与えることがなくなる。
【０００９】
請求項４に記載した発明は、端末器に、受信情報を報知する表示手段、あるいは音声出力手段を備えることによって、端末器で動作チェックを可能にしている。また、目の不自由な人でも簡単に動作チェックが可能となる。
【００１０】
請求項５に記載した発明は、動作テストに関するデータを中央処理装置へ送信後、所定時間内に受信情報を受信できない場合は、再度動作テストに関するデータを中央処理装置へ自動で送信する機能を備えることで、使用者が再び端末器から動作テストに関するデータを送信する必要がなくなる。
【００１１】
請求項６に記載した発明は、動作テストに関するデータを中央処理装置へ送信後、所定時間内に受信情報を受信できない場合は、システムが異常状態であるとの報知を行うことで、動作チェックの具体的な方法が開示できる。
【００１２】
請求項７に記載した発明は、端末器と中央処理装置に音声を入力する音声入力手段と音声入力手段からの音声信号の送信または受信を行う音声通信手段と、音声通信手段からの音声を出力する音声出力手段を備えることによって、通話機能が可能となり、非定常時に中央処理装置から端末器周辺の音声モニタができるとともに、音声で威嚇も可能となる。また、動作テスト時にも端末器側と中央処理装置側で通話が可能となるため、動作テスト時にエラーが発生した場合にも簡単に対応ができる。
【００１３】
請求項８に記載の発明は、請求項１〜７のいずれかに記載の監視システムの少なくとも一つの手段をコンピュータに実行させるためのプログラムである。プログラムであるのでマイコンなどを用いて本発明の監視システムの一部あるいは全てを容易に実現することができる。また記録媒体に記録したり通信回線を用いてプログラムを配信したりすることでプログラムの配布が簡単にできる。
【００１４】
【実施例】
（実施例１）
以下本発明の実施例１の構成と動作について図１から図３を参照しながら説明する。
【００１５】
図１は、本実施例１の監視システムのシステムブロック図を示す。１は中央処理装置、２は端末器である。中央処理装置１と端末器２間は、後で述べる無線による通信手段によって通信が行われる。
【００１６】
図２は中央処理装置１の内部ブロック図である。３はデータ通信手段であり、定常または非定常状態に関するデータや動作テストに関するデータの送信および受信を行う。４は音声通信手段であり、音声を変復調して通信を行う。５は音声出力手段であり、音声通信手段４から出力される音声を拡声する。６は音声入力手段であり、中央処理装置１または端末器２に対して音声を送信するための音声入力手段である。７は中央処理装置の制御部である。８は設定部であり、中央処理装置側で動作テストの実行ができる。
【００１７】
図３は端末器２の内部ブロック図である。９は侵入検知部であり、本実施例ではリードスイッチを設けている。この端末器を窓やドアの枠に取り付け、可動部である窓ガラスやドア開閉部にこのリードスイッチと対応して開閉させるための磁石を取り付けることにより、窓やドアの開閉を検知することができる。１０は端末制御部であり、侵入検知部９からの非定常信号、すなわち侵入が発生したという情報を中央処理装置１に対して、データ通信手段３を用いて無線によって送信するものである。尚本実施例では、端末器２の侵入検知部９にリードスイッチを設けているため、窓やドアが開閉された時に侵入者が発生したという非定常信号を送信しているが、侵入検知部９が緊急用のボタンでボタンを押した場合に非定常信号、すなわち緊急の状態であるという情報を送信しても同様の効果を有するものである。また、動作テストの際に、動作テストに関するデータを中央処理装置１に対して、データ通信手段３を用いて送信および受信をする。１１は表示手段であり、エラーコードなどの表示ができる。１２は警報発生手段であり、侵入検知部９によって侵入者を検知した場合に警報を発令する。
【００１８】
次に本実施例の動作を説明する。
【００１９】
まず、端末器２の電源をＯＮした場合、端末制御部１０のタイマー機能により以後３分間は動作テスト可能となる。尚本実施例ではタイマー機能の時間を３分間としたが、タイマー時間の設定は何分間でもよいものとする。動作チェックをする際の動作テスト時において、端末器２に内蔵した侵入検知部９で窓やドアの開閉を検知した場合に、端末器２のデータ通信手段３は検知信号を受けると、通常の監視状態であれば非定常信号、すなわち侵入者が発生したという信号を中央処理装置１に送信するが、動作テスト時であるため、正常に通信が行えているかどうかの確認だけを行うため、中央処理装置１のデータ通信手段３に対して動作テストに関するデータ、すなわち電源ＯＮ以後の３分間での中央処理装置１と端末器２との通信信号を発信する。この時、通常の監視状態であれば、警報発生手段１１により警報を発令するが動作テスト時であるため、電源ＯＮ以後の３分間は警報発生手段１１を端末制御部１０の制御により不許可とすることで、警報器からの大音響を鳴らしたり、外線電話に通話をしたりするなどの動作テスト時に不要な機能を実行しない制御を行う。中央処理装置１のデータ通信手段３は端末器２からの動作テストに関するデータを受信して、受信情報を中央処理装置１のデータ通信手段３から端末器２のデータ通信手段３に送信する。端末制御部１０は中央処理装置１からの受信情報を受けて音声出力手段５に動作テストの結果を報知する。
【００２０】
また端末器２から動作テストに関するデータを中央処理装置１へ送信後、所定時間内に受信情報を受信できない場合は、再度動作テストに関するデータを中央処理装置１に自動で送信する。また動作テストの実行は端末器２の電源投入後、自動的に実行しているが、中央処理装置１の設定部８でも動作テストの実行が可能である。
【００２１】
なお、端末器の電源投入とは、電源プラグをコンセントに差し込んだり、電池電源を端末器に装着したり、端末器の動作スイッチや電源スイッチをオンすることである。
【００２２】
上記実施例１の構成、動作によると、本発明の監視システムでは、端末器と中央処理装置のデータ通信が端末器から中央処理装置のみの単方向通信ではなく、端末器と中央処理装置の両方からデータ通信が可能な双方向通信を備えているため、端末器でも動作テスト時に動作チェックすることが可能となっている。そのため従来例で説明した中央処理装置でしか動作チェックできなかったものが、双方向通信にすることで端末器でも確認が可能となる。これにより、動作テストを行う際に、監視システムを設置する前にチェックしたり、設置後に端末器と中央処理装置双方に人を配置したりして動作チェックをする必要がなくなる。
【００２３】
また、表示手段を備えているためにエラーコードを出力させることによって、どの部分が異常であるかを容易に確認することができる。また、音声通信手段を備えているために、動作テスト時において、エラーが発生した場合にも中央処理装置側と端末機側で通話が可能であるため、エラーの対応が容易である。
【００２４】
尚、上記実施例では、端末器として侵入検知用の端末器が１つのみの構成であったが、侵入検知用の複数の端末器を備えた構成としたり、侵入検知の他に、人感検知や緊急コール等の機能を有する複数の端末器を備えた構成としたりしてもよく、各端末器において上記実施例と同様な手順で動作テストを行うことが可能となる。
【００２５】
また、本実施例では通信媒体として無線を用いているが、専用線による有線通信、電灯線搬送通信、赤外線通信、光ファイバ通信など、いずれも通信媒体を用いても同様の効果を有するものである。
【００２６】
【発明の効果】
以上のように、本発明の監視システムでは、端末器と中央処理装置のデータ通信が端末器から中央処理装置のみの単方向通信ではなく、端末器と中央処理装置の両方からデータ通信が可能な双方向通信を備えているため、端末器でも動作テスト時に動作チェックすることが可能となり利便性が向上するといった効果がある。
【図面の簡単な説明】
【図１】本発明の実施例１のシステムブロック図
【図２】本発明の実施例１の中央処理装置の内部ブロック図
【図３】本発明の実施例１の端末器２の内部ブロック図
【符号の説明】
１　中央処理装置
２　端末器
３　データ通信手段
４　音声通信手段
５　音声出力手段
６　音声入力手段
７　制御部
８　設定部
９　侵入検知部
１０　端末制御部
１１　表示手段
１２　警報発生手段
【図１】
2004021588.tif 000003
【図２】
2004021588.tif 000004
【図３】
2004021588.tif 000005